(57)【要約】【課題】簡単な構造でしかも短時間で組み立てることができ、消費電力を低減することができ、意匠的効果を発揮することを可能と展示ブースのディスプレイ構造の提供を目的とする。【解決手段】展示ブース１は、見本市、展示会などの催事が実施される屋内の展示スペースの床面２上にあって、床面２に外形が角形状のトラス材で構成される支柱体３を立設し、さらに支柱体３の上部に桁材４を連結し、該桁材４は複数の支柱体３の上部間に掛け渡すようにしている。桁材４も外形が角形状のトラス材で構成される。支柱体３と桁材４を構成する角形状のトラス材の表面に複数の取付枠５が支持され、該取付枠５にはＬＥＤパネル６が取着される。【選択図】  図１
0003171164.tif 000002
【実用新案登録請求の範囲】
【請求項１】
見本市、展示会などの催事が実施される屋内の展示スペースの床面上にあって、展示スペースの床面に立設される複数本からなり、外形が角形状のトラス材で構成される支柱体と、支柱体の上部に連結され、各支柱体の上部間に掛け渡され、外形が角形状のトラス材で構成される桁材と、により構成され、展示スペース上で組み立てられ、展示スペースを間仕切り・区画するための展示ブースにあって、
上記支柱体と桁材を構成する角形状のトラス材の表面に対して取着され、支持される全体長方形状からなる複数の取付枠と、
上記取付枠に支持され、裏面において支柱体あるいは桁材の内部に配線される給電線の給電プラグと接続されるコネクタを備え、表面側の全体を給電線を介して供給される電力により、面発光される複数枚のＬＥＤパネルと、
からなり、各支柱体あるいは桁材の表面を面発光させることを可能とする展示ブースにおけるディスプレイ構造。
【考案の詳細な説明】
【技術分野】
【０００１】
本考案は、見本市、展示会などにおいて使用され、屋内で利用される展示ブースのディスプレイ構造に関する。
【背景技術】
【０００２】
従来、国際見本市、商品展示会などにおいて使用される展示ブースには、様々なものが提案され、例えば下記特許文献１に示される展示ブースなどがその典型とされる。すなわち、こうした展示ブースの多くは、短い時間で簡易に組み立てられることが条件とされ、その多くはトラス材等で構成される支柱体や桁材を連結し、その外面に軽量パネル材を貼着して短時間で組み立てを行っていた。
【先行技術文献】
【特許文献】
【０００３】
【特許文献１】特開２０００−１８６９２０号公報
【０００４】
また展示ブースにおいては、必要に応じて組み立てられた支柱体や桁材、さらに軽量パネル材の外面にスポットライト、蛍光灯などの照明器具が取着され、例えば軽量パネル材上に取り付けられたサイン（会社名、商標）、展示商品や展示説明に対し、照明光を照射するようにしていた。
【考案の概要】
【考案が解決しようとする課題】
【０００５】
ところで、出願人は、スポットライト、蛍光灯など照明器具を使用することなく、消費電力が少なく、支柱体や桁材などの構造材や、軽量パネル材に対し、別途取り付ける必要がなく、展示ブースにおける照明を円滑に行うことのできるディスプレイ構造を開発すべく、日夜研究を重ねていたところ、簡単な構造でしかも短時間で組立容易な展示ブースのディスプレイ構造を完成するに至ったものである。
【０００６】
すなわち本考案は、簡単な構造でしかも短時間で組み立てることができ、消費電力を低減することができ、意匠的効果を発揮することを可能とする展示ブースのディスプレイ構造の提供を目的とするものである。
【課題を解決するための手段】
【０００７】
上述のような本考案の目的を達成するために、本願の請求項１に記載の考案は、    見本市、展示会などの催事が実施される屋内の展示スペースの床面上にあって、展示スペースの床面に立設される複数本からなり、外形が角形状のトラス材で構成される支柱体と、支柱体の上部に連結され、各支柱体の上部間に掛け渡され、外形が角形状のトラス材で構成される桁材と、により構成され、展示スペース上で組み立てられ、展示スペースを間仕切り・区画するための展示ブースにあって、
上記支柱体と桁材を構成する角形状のトラス材の表面に対して取着され、支持される全体長方形状からなる複数の取付枠と、上記取付枠に支持され、裏面において支柱体あるいは桁材の内部に配線される給電線の給電プラグと接続されるコネクタを備え、表面側の全体を給電線を介して供給される電力により、面発光される複数枚のＬＥＤパネルと、からなり、各支柱体あるいは桁材の表面を面発光させることを可能とする展示ブースにおけるディスプレイ構造としたものである。
【図面の簡単な説明】
【０００８】
【図１】本考案の実施形態に係る展示ブースの全体を示す斜視図である。
【図２】組み立てられた支柱体と桁材に対し、ＬＥＤパネルを取り付ける状態を示す正面図である。
【図３】図１のＩＩＩ−ＩＩＩ線に沿う断面図である。
【図４】支柱体に取り付けられた取付枠に、ＬＥＤパネルを取り付ける状態を示す断面図である。
【考案を実施するための形態】
【０００９】
図１ないし図４に示す本考案の実施形態に係る展示ブース１は、国際見本市、商品展示会などの催事が実施される屋内の展示スペースの床面上にあって簡易に組み立てられ、使用されるものとされる。すなわち、催事が実施される展示スペースの床面２にあっては、展示スペースを間仕切り・区画する必要があり、展示ブース１は図１に示すように展示スペースの床面２のコーナ部に複数本の支柱体３を立設してなる。
【００１０】
各支柱体３は図２に示すように外形が角形状の長尺トラス材で構成され、各支柱体３の上部には桁材４の端部が連結され、桁材４は各支柱体３の上部間に掛け渡される。桁材４も図２に示すように、支柱体３と同様、外形が角形状の長尺トラス材で構成される。
【００１１】
各支柱体３と各桁材４を構成する角形状のトラス材の表面部には、全体長方形状からなる複数の取付枠５が取着され、支持される。各取付枠５は、ボルト・ナット１４により、外形が角形状をなす各支柱体３と各桁材４の表面部に取着される（図４参照）。取付枠５に対しては、図２示すようにそれぞれＬＥＤパネル６が支持され、取着される。ＬＥＤパネル６は、取付枠５に対応し、全体長方形状とされ、図４の矢印Ａに示すように裏面を取付枠５の外枠に被せるようにし、続いて皿ネジ７で取付枠５に対して螺着するようにしている。
【００１２】
図１あるいは図２に示すように全体長方形状からなるＬＥＤパネル６は、表面側に透明板８Ａ，８Ｂが備えられ、その裏面側には導光板９が備えられる。導光板９の裏面には、透明板８Ａに取着する状態のフレーム板１０が配設され、さらにその裏面には配電ユニット１１が配設される。配電ユニット１１には支柱体３あるいは桁材４の内部に配線される給電線１２の給電プラグ１３と接続されるコネクタ１５が備えられる（図４参照）。こうして取付枠５に対して螺着され、各支柱体３と各桁材４を構成する角形状のトラス材の表面部に支持されるＬＥＤパネル６は、表面側の全体を給電線を介して供給される電力により、面発光されることとなる。すなわち、各ＬＥＤパネル６は、内部に備えられるＬＥＤ発光素子１６が点灯することにより、ＬＥＤ光が導光板９へと導光され、導光された光は該導光板９の裏面に貼着される反射シート１７により反射され、これによりＬＥＤパネル６は、表面側の全体を面発光させることが可能となる（図３の拡大部を参照）。
【００１３】
このようにして、各支柱体３あるいは桁材４の表面が、図１に示すように取付枠５に対して螺着され、各支柱体３と各桁材４を構成する角形状のトラス材の表面部に支持されるＬＥＤパネル６により面発光させることが可能となり、展示ブース１においてスポットライト、蛍光灯など照明器具を別途取り付けることなく、照明を行うことが可能となる。加えて、こうして各支柱体３あるいは桁材４の表面支持されるＬＥＤパネル６にサイン（会社名、商標）を施し、表示することで特有の意匠的効果を発揮することも可能となり、簡単な構造でしかも短時間で組み立てることができる展示ブース１の提供が可能となる。
【産業上の利用可能性】
【００１４】
本考案に係る展示ブース１は、例えば屋内で開催される見本市、展示会などにおいて、簡単に組み立てることが可能となり、様々なイベントに利用することが可能となる。
【符号の説明】
【００１５】
１                              展示ブース
２                              床面
３                              支柱体
４                              桁材
５                              取付枠
６                              ＬＥＤパネル
７                              皿ネジ
８Ａ，８Ｂ                      透明板
９                              導光板
１０                              フレーム板
１１                              配電ユニット
１２                              給電線
１３                              給電プラグ
１４                              ボルト・ナット
１５                              コネクタ
１６                              ＬＥＤ発光素子
１７                              反射シート
【図３】
0003171164.tif 000003
【図１】
0003171164.tif 000004
【図２】
0003171164.tif 000005
【図４】
0003171164.tif 000006
【手続補正書】
【提出日】平成23年8月16日(2011.8.16)
【手続補正１】
【補正対象書類名】図面
【補正対象項目名】図１
【補正方法】変更
【補正の内容】
【図１】
0003171164.tif 000007
【手続補正２】
【補正対象書類名】図面
【補正対象項目名】図２
【補正方法】変更
【補正の内容】
【図２】
0003171164.tif 000008